(57)【要約】【課題】両面記録再生ディスク装置において、片面用ディスクを使用する場合や両面用ディスクを片面のみ使用する場合は、使用しないもう一方の面への無駄なアクセス時間を削減し、操作性を向上させることを目的とする。【解決手段】Ａ面のみにアクセスするＡ面モードとＢ面のみにアクセスするＢ面モードと両面にアクセスする両面モードを設け、Ａ面モードを通常使用するモードに設定し、Ｂ面モード及び両面モードを使用する場合にはモード切換スイッチで切換える構成とする。【選択図】図１
2005149690.tif 000002
【特許請求の範囲】
【請求項１】
情報処理を行うための窓部を両面に有するカートリッジ本体内に光ディスクを収容したカートリッジを装着した状態で、ディスク装置内で光ディスクの両面に記録再生を行うことができるディスク装置であって、装着された前記カートリッジが、両面記録再生用のカートリッジであるか片面記録再生用のカートリッジであるかを判別するカートリッジ判別手段を有することを特徴とするディスク装置。
【請求項２】
カートリッジ判別手段はカートリッジの外郭部分を使用して判別することを特徴とする請求項１記載のディスク装置。
【請求項３】
カートリッジ判別手段で片面記録再生用カートリッジと判別した場合は、片面のみアクセスすることを特徴とする請求項１記載のディスク装置。
【請求項４】
カートリッジ判別手段で両面記録再生用カートリッジと判別した場合は、両面にアクセスすることを特徴とする請求項１記載のディスク装置。
【請求項５】
ディスク装置内でディスク状記録媒体の両面に信号の記録再生を行うことができるディスク装置であって、前記ディスク装置に装着された前記ディスク状記録媒体の第１の面のみにアクセスするＡ面モードと、
前記ディスク状記録媒体の第２の面のみにアクセスするＢ面モードと
前記ディスク状記録媒体の両面にアクセスする両面モードと、
前記Ａ面モードとＢ面モードと両面モードとを切換える切換手段とを備え、
前記Ａ面モードと前記Ｂ面モードと前記両面モードを前記切換手段で切換えることができることを特徴とするディスク装置。
【請求項６】
本装置内でディスク状記録媒体の両面に信号の記録再生を行うことができ、かつ本装置に装着された前記ディスク状記録媒体の第１の面のみにアクセスするＡ面モードと、前記ディスク状記録媒体の第２の面のみにアクセスするＢ面モードと、前記ディスク状記録媒体の両面にアクセスする両面モードとに移行可能なディスク装置であって、前記ディスクの第１の面にアクセスする第１の光ピックアップと、前記ディスクの第２の面にアクセスする第２の光ピックアップと、前記Ａ面モードとＢ面モード及び両面モードに任意に切り換え操作可能な操作手段と、前記操作手段で切り換えられたモードに基づき前記第１及び第２の光ピックアップの動作制御を行う切換指令手段とを備え、前記操作手段でＡ面モードが選択された時は、前記切換指令手段は前記第１の光ピックアップのみを動作させ、Ｂ面モードが選択された時は、前記切換指令手段は前記第２の光ピックアップのみを動作させ、両面モードが選択された時は前記切換指令手段は前記第１及び第２の光ピックアップを動作させることを特徴とするディスク装置。
【請求項７】
本装置内でディスク状記録媒体の両面に信号の記録再生を行うことができ、かつ本装置に装着された前記ディスク状記録媒体の第１の面のみにアクセスするＡ面モードと、前記ディスク状記録媒体の第２の面のみにアクセスするＢ面モードと、前記ディスク状記録媒体の両面にアクセスする両面モードとに移行可能なディスク装置であって、前記ディスクの第１の面及び第２の面にアクセス可能な光ピックアップと、前記Ａ面モードとＢ面モード及び両面モードに任意に切り換え操作可能な操作手段と、前記操作手段で切り換えられたモードに基づき前記光ピックアップの動作制御を行う切換指令手段とを備え、前記操作手段でＡ面モードが選択された時は、前記切換指令手段は前記光ピックアップを前記ディスクの第１の面にアクセスさせ、Ｂ面モードが選択された時は、前記切換指令手段は前記光ピックアップを前記ディスクの第２の面にアクセスさせ、両面モードが選択された時は前記切換指令手段は前記光ピックアップを前記ディスクの第１の面及び第２の面にアクセスさせることを特徴とするディスク装置。
【請求項８】
Ａ面モードを通常使用するモードに設定することを特徴とする請求項５〜７記載のディスク装置。
【請求項９】
本装置の電源投入時は、Ａ面モードとすることを特徴とする請求項５〜８記載のディスク装置。
【発明の詳細な説明】
【技術分野】
【０００１】
本発明はディスク状記録媒体（以下、ディスクと呼ぶ）に情報を記録するもしくは記録された情報を再生するディスク装置のうち特に両面記録再生可能なディスク装置に関するものである。
【背景技術】
【０００２】
近年、ディスク装置の分野では、ＤＶＤメディアへの記録再生ができるＤＶＤ記録再生装置の普及が著しい。ＤＶＤ記録再生装置の更なる普及と差別化のためにも、両面に記録再生可能なＤＶＤディスクをイジェクト動作を行うことなく両面連続記録再生できる両面記録再生ディスク装置が望まれている。
【０００３】
ところで、ディスクをディスク装置に装着した時、記録再生動作が行える状態になるまでにディスクのフォーマット状態や記録内容等を確認するための初期的なディスクの情報読込み（以降、初期読込みと呼ぶ）が必要である。従来の両面記録再生ディスク装置では、装着したディスクが両面用ディスクであるか片面用ディスクであるかに関わらず、ディスクの両面について初期読込みが行われる。よって、片面用ディスクを使用する場合に、記録再生できないもう一方の面の初期読込みが行われることになり、無駄な動作時間が増えて、操作性が悪くなる。
【０００４】
このような、片面用ディスクを装着した場合の記録再生できない面への無駄なアクセスを防止するディスク装置として、例えば、特開平１−２９４２７０号公報に記載されたものが知られている。ここに記載されたディスク装置は、装着されたディスクが両面用であるか片面用であるかを判別し、片面用ディスクと判別された場合には、両面再生を禁止する構成をとっている。このディスク装置で採用している両面用ディスクと片面用ディスクの判別方法は、両面用と片面用とでディスクの外径が異なる場合にディスクの外径の違いで判別する方法と、片面用ディスクを２枚貼り合わせたディスクを両面用ディスクとして使用する場合にディスクを回転させたときの慣性モーメントの違いで判別する方法である。
【特許文献１】特開平１−２９４２７０号公報
【発明の開示】
【発明が解決しようとする課題】
【０００５】
しかしながら上記の従来の構成では、ＤＶＤ−ＲＡＭのように、両面用ディスクと片面用ディスクで外径および重量が変わらない場合には、両面用か片面用かを判別できない。ディスクがカートリッジに収納されたタイプにおいても同様に、両面用か片面用かを判別できず、片面用カートリッジを装着した時、記録再生できないもう一方の面への初期読込みが行われることになり、無駄な動作時間が増え、操作性が悪くなるという問題点を有していた。
【０００６】
また、両面用ディスクを装着した場合、Ａ面だけに記録したい場合、あるいはＢ面だけに記録したい場合など、使用する面を指定できず、操作性が悪いという問題点を有していた。
【０００７】
本発明は上記従来の問題点を解決するもので、両面記録再生ディスク装置において、装着されたカートリッジが両面用カートリッジであるか片面用カートリッジであるかを判別し、片面用カートリッジと判別された場合には、片面のみアクセスする構成にすることで、無駄な動作時間を削減し、また、Ａ面のみ使用、Ｂ面のみ使用、両面使用というように使用する面を選択できる操作性の良いディスク装置を提供することを目的とする。
【課題を解決するための手段】
【０００８】
この目的を達成するために本発明のディスク装置は、情報処理を行うための窓部を両面に有するカートリッジ本体内に光ディスクを収容したカートリッジであって、前記カートリッジを装着した状態でディスク装置内で光ディスクの両面に記録再生を行うことができるディスク装置であって、装着されたカートリッジが、両面記録再生用のカートリッジであるか片面記録再生用のカートリッジであるかを判別するカートリッジ判別手段を備えた構成を有している。
【０００９】
この構成によって、装着されたカートリッジが両面用カートリッジであるか片面用カートリッジであるかを判別し、片面用カートリッジと判別された場合には、片面のみアクセスする構成にすることで、無駄な動作時間を削減することができる。
【００１０】
また、ディスク装置内でディスク状記録媒体の両面に信号の記録再生を行うことができるディスク装置であって、前記ディスク装置に装着された前記ディスク状記録媒体の第１の面のみにアクセスするＡ面モードと、前記ディスク状記録媒体の第２の面のみにアクセスするＢ面モードと、前記ディスク状記録媒体の両面にアクセスする両面モードと、前記Ａ面モードとＢ面モードと両面モードとを切換える切換手段とを備え、前記Ａ面モードと前記Ｂ面モードと前記両面モードを前記切換手段で切換えることができる構成とすることにより、Ａ面のみ使用、Ｂ面のみ使用、両面使用というように使用する面を選択でき操作性を良くできる。
【発明の効果】
【００１１】
以上のように本発明は、両面記録再生ディスク装置において、装着されたカートリッジが両面用カートリッジであるか片面用カートリッジであるかを判別し、片面用カートリッジと判別された場合には、片面のみアクセスする構成にすることで、無駄な動作時間を削減し、また、Ａ面のみ使用、Ｂ面のみ使用、両面使用というように使用する面を選択でき操作性を良くできるという優れた効果が得られる。
【００１２】
また、不要な光ピックアップの移動などを無くすことができるため、消費電力を削減することができ、特に電池によって駆動するポータブル機器などでは連続使用時間を長くすることができるので、使い勝手が向上する。
【発明を実施するための最良の形態】
【００１３】
本発明の請求項１に記載の発明は、情報処理を行うための窓部を両面に有するカートリッジ本体内に光ディスクを収容したカートリッジであって、前記カートリッジを装着した状態でディスク装置内で光ディスクの両面に記録再生を行うことができるディスク装置であって、装着されたカートリッジが、両面記録再生用のカートリッジであるか片面記録再生用のカートリッジであるかを判別するカートリッジ判別手段を有することを特徴としたものであり、カートリッジ判別手段を設けることにより、装着されたカートリッジが両面用カートリッジであるか片面用カートリッジであるかが判別でき、それぞれのカートリッジに対応した動作を行うことができるという作用を有する。
【００１４】
請求項２に記載の発明は、カートリッジ判別手段はカートリッジの外郭部分を使用して判別することを特徴としたものであり、カートリッジの規格に定められた両面用カートリッジと片面用カートリッジとの外郭形状の違いを検出することにより、両面用カートリッジであるか片面用カートリッジであるかを正確に判別できるという作用を有する。
【００１５】
請求項３に記載の発明は、カートリッジ判別手段で片面記録再生用カートリッジと判別した場合は、片面のみアクセスすることを特徴としたものであり、片面用カートリッジが装着された場合は、片面のみアクセスすることにより、記録再生できないもう一方の面への無駄なアクセス時間を削除することができるという作用を有する。
【００１６】
請求項４に記載の発明は、カートリッジ判別手段で両面記録再生用カートリッジと判別した場合は、両面にアクセスすることを特徴としたものであり、両面用カートリッジが装着された場合は、両面にアクセスして、初期読込みをすることにより、記録再生操作を行う前に両面の初期情報を知ることができるという作用を有する。
【００１７】
請求項５〜７に記載の発明は、ディスク装置内でディスク状記録媒体の両面に記録再生を行うことができるディスク装置であって、前記ディスク装置に装着された前記ディスク状記録媒体のＡ面のみにアクセスするＡ面モードと、前記ディスク状記録媒体のＢ面のみにアクセスするＢ面モードと、前記ディスク状記録媒体の両面にアクセスする両面モードと、前記Ａ面モードとＢ面モードと両面モードとを切換える切換手段とを備え、前記Ａ面モードと前記Ｂ面モードと前記両面モードを前記切換手段で切換えることができることを特徴としたものであり、通常使用時はＡ面のみアクセスするモードに設定することにより、片面用ディスクを使用する場合や両面用ディスクをＡ面だけ使用する場合に、使用しないもう一方の面への無駄なアクセス時間を削減でき、また、Ａ面のみ使用、Ｂ面のみ使用、両面使用というように使用する面を選択でき操作性を良くすることができるという作用を有する。
【００１８】
請求項８及び９に記載の発明は、Ａ面モードを通常使用するモードに設定することを特徴としたものであり、一般にユーザーが使用する頻度の高いＡ面モードを通常使用するモードに設定することで、Ａ面モードに切り換える手間が省け、操作性を良くすることができる。
【００１９】
以下、本発明の実施の形態について、図面を用いて説明する。
【００２０】
（実施の形態１）
ＤＶＤの記録再生用ディスクとしてＤＶＤ−ＲＡＭがあるが、ＤＶＤ−ＲＡＭにはディスクの記録面を保護するためにカートリッジに収納されるタイプがある。カートリッジには両面（Ａ面とＢ面）に記録再生できるディスクを収納する両面用カートリッジと片面（Ａ面）のみに記録再生できるディスクを収納する片面用カートリッジがあり、図５に両面用カートリッジの外観を示す斜視図、図６に片面用カートリッジの外観を示す斜視図を示す。図５における両面用カートリッジの場合、Ａ部はＺ方向に遮る壁はないが、図６における片面用カートリッジの場合、Ａ部はＺ方向に壁で遮られている。よって、このＡ部の形状の違いを利用して、両面用と片面用を判別することができる。
【００２１】
図１は本発明の実施の形態１におけるディスク装置のカートリッジ装着時のフローチャート、図３は本発明の実施の形態１におけるディスク装置の構成を示すブロック図、図５は両面用カートリッジの外観を示す斜視図、図６は片面用カートリッジの外観を示す斜視図である。
【００２２】
図１と図３において、１はカートリッジをディスク装置に装着するカートリッジ装着ステップ、２は装着されたカートリッジが片面用（Ａ面用）カートリッジであるか両面用（Ａ,Ｂ面用）カートリッジであるかを判別するカートリッジ判別ステップ、３は光ピックアップで両面用カートリッジに収納されたディスクのＡ面の情報を読込むＡ面情報読込みステップ、４は光ピックアップで両面用カートリッジに収納されたディスクのＢ面の情報を読込むＢ面情報読込みステップ、５と７はユーザーからの指令を待つ待機ステップ、６は片面用カートリッジに収納されたディスクのＡ面の情報を読込むＡ面情報読込みステップである。ここで、ディスクの「Ａ面」とは、ディスクが収容されたカートリッジを本装置に装着した時の、ディスクの下側の面に相当し、「Ｂ面」とはディスクの上側の面に相当する。
【００２３】
８は内部にディスクを備えたカートリッジ、９はカートリッジ８が両面用か片面用かを判別するカートリッジ判別手段、１０はディスクを載置し回転するためのターンテーブル、１１はディスクのＡ面側に対向する位置に設けられたＡ面に情報を記録再生するＡ面用光ピックアップ、１２はＡ面の半径方向に平行に設けられたガイドに沿ってＡ面用光ピックアップ１１を移動自在とするＡ面用光ピックアップ駆動手段、１３はディスクのＢ面側に対向する位置に設けられたＢ面に情報を記録再生するＢ面用光ピックアップ、１４はＢ面の半径方向に平行に設けられたガイドに沿ってＢ面用光ピックアップを移動自在とするＢ面用光ピックアップ駆動手段で、Ａ面用光ピックアップ駆動手段１２とＢ面用光ピックアップ駆動手段１４は、例えば、モータとギヤにより構成される。１５はカートリッジ判別手段９からの出力信号により、Ａ面用の光ピックアップでアクセスするかＢ面用の光ピックアップでアクセスするかの指令を出すアクセス面切換指令部である。
【００２４】
以上のように構成されたディスク装置について、図１と図３及び図５と図６を用いてその動作を説明する。
【００２５】
まず、ディスク装置内にカートリッジ８が引き込まれ、カートリッジ装着ステップ１でカートリッジ８が装着される。その後、カートリッジ判別ステップ２でカートリッジ判別手段９により、カートリッジ８が両面用カートリッジか片面用カートリッジかの判別が行われる。
【００２６】
カートリッジ判別手段９では、図５と図６に示すカートリッジ判別箇所のＡ部を利用して判別する。カートリッジ判別箇所のＡ部は、両面用カートリッジの場合、Ｚ方向に遮る壁はないが、片面用カートリッジの場合、Ｚ方向に壁で遮られている。カートリッジ判別手段９としては、例えば、図５と図６のカートリッジ判別箇所であるＡ部に当接するようにスイッチを設けて、スイッチが壁に当接してＯＮの時、「片面用カートリッジ」と判別し、スイッチが壁に当接せずにＯＦＦの時は「両面用カートリッジ」と判別する方法がある。また、ディスク判別箇所Ａ部にＺ方向にフォトセンサーを設けて、センサー光が壁に遮られずにＯＮの時は両面用カートリッジと判別し、センサー光が壁に遮られてＯＦＦの時は片面用カートリッジと判別する方法がある。なお、カートリッジ判別手段９では、４カ所あるカートリッジ判別箇所Ａ部のいずれを使用してもよい。
【００２７】
カートリッジ判別手段９でカートリッジ８を判別するタイミングは、カートリッジ８に収容されたディスクがターンテーブル１０に載置される前でも、ディスクがターンテーブル１０に載置された後で図示しないクランパによってクランプされる前でも、図示しないクランパによってクランプされた後でもよい。少なくとも、本装置内にカートリッジ８が装着されてから、光ピックアップがＡ面の初期情報を読み出し可能な位置まで移動するまでの間に、カートリッジ判別を行えばよい。
【００２８】
カートリッジ判別ステップ２で「両面用カートリッジ」と判別された場合には、Ａ面情報読込みステップ３に進み、アクセス面切換指令部１５によりＡ面用光ピックアップ駆動手段１２に信号が伝達され、Ａ面の記録再生する位置にＡ面用光ピックアップ１１を移動させ、Ａ面の情報がＡ面用光ピックアップ１１で読込まれる。その後、Ｂ面情報読込みステップ４に進み、アクセス面切換指令部１５によりＢ面用光ピックアップ駆動手段１４に信号が伝達され、Ｂ面の記録再生する位置にＢ面用光ピックアップ１３を移動させ、Ｂ面の情報がＢ面用光ピックアップ１３で読込まれる。そして、待機ステップ５に進み、待機状態となる。
【００２９】
一方、カートリッジ判別ステップ２で「片面用カートリッジ」と判別された場合には、Ａ面情報読込みステップ６に進み、アクセス面切換指令部１５によりＡ面用光ピックアップ駆動手段１２に信号が伝達され、Ａ面の記録再生する位置にＡ面用光ピックアップ１１を移動させ、Ａ面の情報がＡ面用光ピックアップ１１で読込まれる。その後、待機ステップ７に進み、待機状態となる。
【００３０】
以上のように本実施の形態１によれば、ターンテーブル１０と、Ａ面用光ピックアップ１１とＢ面用光ピックアップ１３が設けられ、カートリッジ判別手段９で出力される信号に応じて、アクセス面切換指令部１５によって、Ａ面あるいはＢ面にアクセス面を切り換えることで、片面用カートリッジが判別された場合は、Ａ面用光ピックアップ１１のみがアクセスし、両面用カートリッジが判別された場合は、Ａ面用光ピックアップ１１とＢ面用光ピックアップ１３がアクセスすることで、片面用カートリッジが判別された場合に、記録再生できないＢ面へのアクセスを削除でき、Ａ面とＢ面との間の切換を素早く行うことができることで、無駄な動作時間を削減し、操作性を良くすることができる。
【００３１】
なお、本実施の形態では図１に示すように、カートリッジ判別（ステップ２）を行ってから、Ａ面情報の読み込み（ステップ３及び６）を行う構成としたが、図２に示すように、Ａ面情報の読み込み（ステップ３ａ）を行ってからカートリッジ判別（ステップ２ａ）を行う動作としてもよい。その際は、ディスクのＡ面情報を読み込んでからすぐにカートリッジ判別動作に移行する。
【００３２】
（実施の形態２）
図４は本発明の実施の形態２におけるディスク装置の構成を示すブロック図であり、同図において実施の形態１と同一の構成要素には同一番号を付与し説明を省略する。
【００３３】
図４において図３の構成と異なるのは、１６はＡ面及びＢ面に情報を記録再生する光ピックアップ、１７は光ピックアップ１６をＡ面及びＢ面の半径方向に平行に設けられたガイドに沿って移動自在とする光ピックアップ駆動手段で、例えば、モータとギヤによって構成される。１８は光ピックアップ１６及び光ピックアップ駆動手段１７を共にＡ面に対向してＡ面の記録再生を行える位置、あるいはＢ面に対向してＢ面の記録再生を行える位置に移動させる光ピックアップＡＢ面移動手段で、例えば、モータとギヤによって構成される。
【００３４】
以上のように構成されたディスク装置について、図１と図４を用いてその動作を説明する。
【００３５】
まず、ディスク装置内にカートリッジ８が引き込まれ、カートリッジ装着ステップ１でカートリッジ８が装着される。その後、カートリッジ判別ステップ２でカートリッジ判別手段９により、カートリッジ８が両面用カートリッジか片面用カートリッジかの判別が行われる。カートリッジ判別手段９は、実施の形態１と同様な方法とタイミングでカートリッジ８を判別する。
【００３６】
カートリッジ判別ステップ２で「両面用カートリッジ」と判別された場合には、Ａ面情報読込みステップ３に進み、アクセス面切換指令部１５により光ピックアップＡＢ面移動手段１８に信号が伝達され、Ａ面に対向する位置にＡ面の半径方向に平行に設けられたガイド部に光ピックアップ１６及び光ピックアップ駆動手段１７を共に移動させる。そして、光ピックアップ駆動手段１７はＡ面の記録再生する位置に光ピックアップ１６を移動させ、Ａ面の情報が光ピックアップで読込まれる。
【００３７】
その後、Ｂ面情報読込みステップ４に進み、アクセス面切換指令部１５により光ピックアップＡＢ面移動手段１８に信号が伝達され、Ｂ面に対向する位置にＢ面の半径方向に平行に設けられたガイド部に光ピックアップ１６及び光ピックアップ駆動手段１７を共に移動させる。そして、光ピックアップ駆動手段１７はＢ面の記録再生する位置に光ピックアップ１６を移動させ、Ｂ面の情報が光ピックアップで読込まれる。そして、待機ステップ５に進み、待機状態となる。
【００３８】
一方、カートリッジ判別ステップ２で「片面用カートリッジ」と判別された場合には、Ａ面情報読込みステップ６に進み、アクセス面切換指令部１５により光ピックアップＡＢ面移動手段１８に信号が伝達され、Ａ面に対向する位置にＡ面の半径方向に平行に設けられたガイド部に光ピックアップ１６及び光ピックアップ駆動手段１７を共に移動させる。そして、光ピックアップ駆動手段１７はＡ面の記録再生する位置に光ピックアップ１６を移動させ、Ａ面の情報が光ピックアップで読込まれる。その後、待機ステップ７に進み、待機状態となる。
【００３９】
以上のように本実施の形態２によれば、光ピックアップＡＢ面移動手段１８を設けて、１組の光ピックアップ１６と光ピックアップ駆動手段１７をＡＢ面間で移動させることでＡ面とＢ面へのアクセスを行う構成において、カートリッジ判別手段９で片面用カートリッジが判別された場合に、光ピックアップＡＢ面移動手段１８によって光ピックアップ１６と光ピックアップ駆動手段１７をＢ面に移動する時間とＢ面にアクセスする時間を削除でき、操作性を良くすることができる。
【００４０】
なお、以上の説明では、片面用カートリッジと判別された場合、Ｂ面への初期読込みを行わないことに関して説明しているが、Ｂ面へのその他のアクセスも全て行わないようにしてもよい。
【００４１】
なお、本発明は上記した実施の形態に限定されるものではない。
【００４２】
（実施の形態３）
図７は本発明の実施の形態１におけるディスク装置のディスク装着時のフローチャート、図８は本発明の実施の形態１におけるディスク装置の構成を示すブロック図である。
【００４３】
図７と図８において、２１はディスクをディスク装置に装着するディスク装着ステップ、２２は後述するモード切換スイッチがＡ面モードかＢ面モードか両面モードかを検出するモード切換ステップ、２３は光ピックアップでディスクのＡ面（第１の面）の情報を読込むＡ面情報読込みステップ、２５は光ピックアップでディスクのＢ面（第２の面）の情報を読込むＢ面情報読込みステップ、２７は光ピックアップでディスクのＡ面の情報を読込むＡ面情報読込みステップ、２８は光ピックアップでディスクのＢ面の情報を読込むＢ面情報読込みステップ、２４と２６と２９はユーザーからの指令を待つ待機ステップである。ここで、ディスクの「Ａ面」とは、ディスクを本装置に装着した時の、ディスクの下側の面に相当し、「Ｂ面」とはディスクの上側の面に相当する。
【００４４】
３０はディスクで、ＤＶＤ−ＲＡＭの場合、カートリッジに収容されたディスクとカートリッジに収容されていないディスクがある。なお、本実施の形態ではＤＶＤ−ＲＡＭとしたが、これに限定されるものではない。３１はディスク３０を載置して回転するためのターンテーブルである。３２はＡ面のみのアクセスを行うＡ面モードとＢ面のみのアクセスを行うＢ面モードとＡ面とＢ面の両面へのアクセスを行う両面モードとを切換える切換手段であるモード切換スイッチで、例えば、ＤＶＤ−ＲＡＭドライブなどのディスク装置や、ディスク装置を遠隔操作するリモコン、あるいはディスプレイに表示される設定画面に設けられる。モード切換スイッチ３２をディスク装置やリモコンに設定する場合、例えば、押釦スイッチや３接点のスイッチで構成される。本実施の形態では、ディスク装置の電源をＯＦＦからＯＮにした時は、モード切換スイッチ３２はＡ面モードで起動する。例えば、この状態からモード切換スイッチ３２を両面モードにすると、本装置が両面モードに切り替わる。また、両面モードあるいはＢ面モードに切り替わった状態からディスク装置の電源がＯＦＦされ、再度電源ＯＮされると、本装置は、モード切換スイッチ３２がＡ面モードの状態で起動する。
【００４５】
３３はモード切換スイッチ３２からの信号に応じてＡ面用の光ピックアップでＡ面にアクセスするかＢ面用の光ピックアップでＢ面にアクセスするかの指令を出すアクセス面切換指令部、３４はディスク３０のＡ面側に対向する位置に設けられたＡ面に情報を記録再生するＡ面用光ピックアップ、３５はＡ面の半径方向に平行に設けられたガイドに沿ってＡ面用光ピックアップ３４を移動自在とするＡ面用光ピックアップ駆動手段、３６はディスク３０のＢ面側に対向する位置に設けられたＢ面に情報を記録再生するＢ面用光ピックアップ、３７はＢ面の半径方向に平行に設けられたガイドに沿ってＢ面用光ピックアップ３６を移動自在とするＢ面用光ピックアップ駆動手段で、Ａ面用光ピックアップ駆動手段３５とＢ面用光ピックアップ駆動手段３７は、例えば、モータとギヤにより構成される。このように本実施の形態では、ディスク３０のＡ面側とＢ面側に、それぞれ光ピックアップを備えている。
【００４６】
以上のように構成されたディスク装置について、図７と図８を用いてその動作を説明する。
【００４７】
まず、トレイ方式やスロットイン方式などでディスク装置内にディスク３０が引き込まれ、ディスク装着ステップ１でディスク３０が装着される。その後、モード切換ステップ２２でモード切換スイッチ３２がＡ面モードかＢ面モードか両面モードのいずれのモードになっているかの判別が行われる。
【００４８】
モード切換ステップ２２で判別するタイミングは、ディスク３０がターンテーブル３１に載置される前でも、ディスク３０がターンテーブル３１に載置された後で図示しないクランパによってクランプされる前でも、図示しないクランパによってクランプされた後でもよい。少なくとも、本装置内にディスク３０が装着されてから、Ａ面用光ピックアップ３４がＡ面の初期情報を読み出し可能な位置まで到達して読込みを開始するまでの間に判別を行えばよい。
【００４９】
モード切換ステップ２２で「モード切換スイッチ３２がＡ面モードになっている」と判別された場合には、Ａ面情報読込みステップ３に進み、アクセス面切換指令部３３によりＡ面用光ピックアップ駆動手段３５に信号が伝達され、Ａ面の記録再生する位置にＡ面用光ピックアップ３４を移動させ、Ａ面の情報がＡ面用光ピックアップ３４で読込まれる。その後、待機ステップ２４に進み、待機状態となる。待機ステップ２４の状態は、Ａ面モードであり、以降、Ａ面のみにアクセスできる。
【００５０】
なお、Ａ面モードの状態からモード切換スイッチ３２でＢ面モードに切り替わった場合は、以降、Ｂ面のみにアクセスする状態になる。Ｂ面モードに切り替わった時点で、既にＢ面の初期情報が読込まれている場合には、Ｂ面の初期情報を読込む動作は行わずに、待機状態になる。Ｂ面モードに切り替わった時点で、Ｂ面の初期情報が読込まれていない場合には、Ｂ面の初期情報を読込む動作を行った後、待機状態になる。
【００５１】
また、Ａ面モードの状態からモード切換スイッチ１２で両面モードに切り替わった場合は、以降、両面にアクセスできる状態になる。両面モードに切り替わった時点で、既にＡ面とＢ面の初期情報が読込まれている場合には、Ａ面とＢ面の初期情報を読込む動作は行わずに、待機状態になる。両面モードに切り替わった時点で、Ａ面とＢ面のうち少なくとも一方の面の初期情報が読込まれていない場合には、読み込まれていない面の初期情報を読込む動作を行った後、待機状態になる。
【００５２】
一方、モード切換ステップ２２で「モード切換スイッチ３２がＢ面モードになっている」と判別された場合には、Ｂ面情報読込みステップ２５に進み、アクセス面切換指令部３３によりＢ面用光ピックアップ駆動手段３７に信号が伝達され、Ｂ面の記録再生する位置にＢ面用光ピックアップ３６を移動させ、Ｂ面の情報がＢ面用光ピックアップ３６で読込まれる。その後、待機ステップ２６に進み、待機状態となる。待機ステップ２６の状態は、Ｂ面モードであり、以降、Ｂ面のみにアクセスできる。
【００５３】
なお、Ｂ面モードの状態からモード切換スイッチ３２でＡ面モードに切り替わった場合は、以降、Ａ面のみにアクセスする状態になる。Ａ面モードに切り替わった時点で、既にＡ面の初期情報が読込まれている場合には、Ａ面の初期情報を読込む動作は行わずに、待機状態になる。Ａ面モードに切り替わった時点で、Ａ面の初期情報が読込まれていない場合には、Ａ面の初期情報を読込む動作を行った後、待機状態になる。
【００５４】
また、Ｂ面モードの状態からモード切換スイッチ３２で両面モードに切り替わった場合は、以降、両面にアクセスできる状態になる。両面モードに切り替わった時点で、既にＡ面とＢ面の初期情報が読込まれている場合には、Ａ面とＢ面の初期情報を読込む動作は行わずに、待機状態になる。両面モードに切り替わった時点で、Ａ面とＢ面のうち少なくとも一方の面の初期情報が読込まれていない場合には、読み込まれていない面の初期情報を読込む動作を行った後、待機状態になる。
【００５５】
一方、モード切換ステップ２２で「モード切換スイッチ３２が両面モードになっている」と判別された場合には、Ａ面情報読込みステップ２７に進み、アクセス面切換指令部３３によりＡ面用光ピックアップ駆動手段３５に信号が伝達され、Ａ面の記録再生する位置にＡ面用光ピックアップ３４を移動させ、Ａ面の情報がＡ面用光ピックアップ３４で読込まれる。その後、Ｂ面情報読込みステップ２８に進み、アクセス面切換指令部３３によりＢ面用光ピックアップ駆動手段３７に信号が伝達され、Ｂ面の記録再生する位置にＢ面用光ピックアップ３６を移動させ、Ｂ面の情報がＢ面用光ピックアップ３６で読込まれる。そして、待機ステップ９に進み、待機状態となる。待機ステップ２９の状態は両面モードであり、以降、両面にアクセスできる。
【００５６】
なお、両面モードの状態からモード切換スイッチ３２がＡ面モードに切り替わった場合は、以降、Ａ面のみにアクセスする状態になる。Ａ面モードに切り替わった時点で、既にＡ面の初期情報が読込まれている場合には、Ａ面の初期情報を読込む動作は行わずに、待機状態になる。Ａ面モードに切り替わった時点で、Ａ面の初期情報が読込まれていない場合には、Ａ面の初期情報を読込む動作を行った後、待機状態になる。
【００５７】
また、両面モードの状態からモード切換スイッチ３２でＢ面モードに切り替わった場合は、以降、Ｂ面のみにアクセスする状態になる。Ｂ面モードに切り替わった時点で、既にＢ面の初期情報が読込まれている場合には、Ｂ面の初期情報を読込む動作は行わずに、待機状態になる。Ｂ面モードに切り替わった時点で、Ｂ面の初期情報が読込まれていない場合には、Ｂ面の初期情報を読込む動作を行った後、待機状態になる。
【００５８】
以上のように本実施の形態によれば、ターンテーブル３１と、Ａ面用光ピックアップ３４とＢ面用光ピックアップ３６が設けられ、モード切換スイッチ３２がＡ面モードの場合には、つまり通常使用時には、アクセス面切換指令部３３によって、Ａ面のみにＡ面用光ピックアップ３４でアクセスを行うように指令され、モード切換スイッチ３２がＢ面モードの場合には、アクセス面切換指令部３３によって、Ｂ面のみにＢ面用光ピックアップ３６でアクセスを行うように指令され、モード切換スイッチ３２が両面モードの場合には、アクセス面切換指令部３３によって、Ａ面とＢ面の両面にＡ面用光ピックアップ３４とＢ面用光ピックアップ３６でそれぞれアクセスを行うように指令されることで、通常使用するＡ面モードでは、片面用ディスクを使用する場合や両面用ディスクをＡ面のみ使用する場合は、使用しないもう一方の面（片面ディスクの場合は、記録面の裏面）への無駄なアクセス時間を削減することができ、また、Ａ面のみ使用、Ｂ面のみ使用、両面使用というように使用するディスクの面を選択することができ、さらに、両面モードでは、Ａ面用とＢ面用の２つの光ピックアップによってアクセスすることで、Ａ面とＢ面との間の切換を素早く行うことができ、操作性を良くすることができる。
【００５９】
（実施の形態４）
図９は本発明の実施の形態２におけるディスク装置の構成を示すブロック図であり、同図において実施の形態３と同一の構成要素には同一番号を付与し説明を省略する。
【００６０】
図９において図８の構成と異なるのは、３８はＡ面及びＢ面に情報を記録再生する光ピックアップ、３９は光ピックアップ３８をＡ面及びＢ面の半径方向に平行に設けられたガイドに沿って移動自在とする光ピックアップ駆動手段で、例えば、モータとギヤによって構成される。４０は光ピックアップ３８及び光ピックアップ駆動手段３９を共にＡ面に対向してＡ面の記録再生を行える位置、あるいはＢ面に対向してＢ面の記録再生を行える位置に移動させる光ピックアップＡＢ面移動手段で、例えば、モータとギヤによって構成される。つまり、実施の形態３の構成と異なるのは、実施の形態３がＡ面側とＢ面側にそれぞれ光ピックアップなどの手段を配していたのに対して、本実施の形態では光ピックアップ３８などの手段は一つとし、Ａ面側及びＢ面側に移動可能として、Ａ面側及びＢ面側の両方にアクセス可能にしたものである。なお、光ピックアップ３８のＡ面側及びＢ面側への移動方法は、光ピックアップ３８をディスク３０の半径方向にディスク３０の最外周部の外側まで移動して、１８０°反転した後、他方の面側に移動する構成としてもよいし、光ピックアップ３８は半径方向の最内周から最外周まで直線的に移動する構成とし、ディスク３０を表裏反転するように動作させる構成としてもよい。
【００６１】
以上のように構成されたディスク装置について、図７と図９を用いてその動作を説明する。
【００６２】
まず、ディスク装置内にディスク３０が引き込まれ、ディスク装着ステップ２１でディスク３０が装着される。その後、モード切換ステップ２２でモード切換スイッチ３２がＡ面モードかＢ面モードか両面モードのいずれのモードになっているかの判別が行われる。モード切換ステップ２２では、実施の形態３と同様な方法とタイミングでモード切換スイッチ３２の状態の判別を行う。
【００６３】
モード切換ステップ２２で「モード切換スイッチ３２がＡ面モードになっている」と判別された場合には、Ａ面情報読込みステップ２３に進み、アクセス面切換指令部３３により光ピックアップＡＢ面移動手段４０に信号が伝達され、Ａ面に対向する位置にＡ面の半径方向に平行に設けられたガイド部に光ピックアップ３８及び光ピックアップ駆動手段３９を共に移動させる。そして、光ピックアップ駆動手段３９はＡ面の記録再生する位置に光ピックアップ３８を移動させ、Ａ面の情報が光ピックアップ３８で読込まれる。
【００６４】
その後、待機ステップ２４に進み、待機状態となる。待機ステップ２４の状態は、Ａ面モードであり、以降、Ａ面のみにアクセスできる。
【００６５】
なお、Ａ面モードの状態からモード切換スイッチ３２がＢ面モードあるいは両面モードに切り替わった時の動作は実施の形態３と同じである。
【００６６】
一方、モード切換ステップ２２で「モード切換スイッチ３２がＢ面モードになっている」と判別された場合には、Ｂ面情報読込みステップ２５に進み、アクセス面切換指令部３３により光ピックアップＡＢ面移動手段４０に信号が伝達され、Ｂ面に対向する位置にＢ面の半径方向に平行に設けられたガイド部に光ピックアップ３８及び光ピックアップ駆動手段３９を共に移動させる。そして、光ピックアップ駆動手段３９はＢ面の記録再生する位置に光ピックアップ３８を移動させ、Ｂ面の情報が光ピックアップ３８で読込まれる。
【００６７】
その後、待機ステップ２６に進み、待機状態となる。待機ステップ２６の状態は、Ｂ面モードであり、以降、Ｂ面のみにアクセスできる。
【００６８】
なお、Ｂ面モードの状態からモード切換スイッチ３２がＡ面モードあるいは両面モードに切り替わった時の動作は実施の形態３と同じである。
【００６９】
一方、モード切換ステップ２２で「モード切換スイッチ３２が両面モードになっている」と判別された場合には、Ａ面情報読込みステップ２７に進み、アクセス面切換指令部３３により光ピックアップＡＢ面移動手段４０に信号が伝達され、Ａ面に対向する位置にＡ面の半径方向に平行に設けられたガイド部に光ピックアップ３８及び光ピックアップ駆動手段３９を共に移動させる。そして、光ピックアップ駆動手段３９はＡ面の記録再生する位置に光ピックアップ３８を移動させ、Ａ面の情報が光ピックアップ３８で読込まれる。
【００７０】
その後、Ｂ面情報読込みステップ２８に進み、アクセス面切換指令部３３により光ピックアップＡＢ面移動手段４０に信号が伝達され、Ｂ面に対向する位置にＢ面の半径方向に平行に設けられたガイド部に光ピックアップ３８及び光ピックアップ駆動手段３９を共に移動させる。そして、光ピックアップ駆動手段３９はＢ面の記録再生する位置に光ピックアップ３８を移動させ、Ｂ面の情報が光ピックアップ３８で読込まれる。そして、待機ステップ２９に進み、待機状態となる。待機ステップ２９の状態は、両面モードであり、以降、アクセス面切換指令部３３の指令によって光ピックアップＡＢ面移動手段４０が光ピックアップ３８と光ピックアップ駆動手段３９をＡ面側あるいはＢ面側に移動することで、両面にアクセスできる。
【００７１】
なお、両面モードの状態からモード切換スイッチ３２がＡ面モードあるいはＢ面モードに切り替わった時の動作は実施の形態３と同じである。
【００７２】
以上のように本実施の形態によれば、光ピックアップＡＢ面移動手段４０を設けて、１組の光ピックアップ３８と光ピックアップ駆動手段３９をＡ面側あるいはＢ面側に移動させることでＡ面とＢ面へのアクセスを行う構成において、モード切換スイッチ３２がＡ面モードの場合には、つまり通常使用時には、アクセス面切換指令部３３によって、Ａ面のみにアクセスを行うように指令され、モード切換スイッチ３２がＢ面モードの場合には、アクセス面切換指令部３３によって、Ｂ面のみにアクセスを行うように指令され、モード切換スイッチ３２が両面モードの場合には、アクセス面切換指令部３３によって、Ａ面とＢ面の両面にアクセスを行うように指令されることによって、通常使用するＡ面モードでは、片面用ディスクを使用する場合や両面用ディスクをＡ面のみ使用する場合は、光ピックアップＡＢ面移動手段４０によって光ピックアップ３８と光ピックアップ駆動手段３９をＢ面に移動する時間とＢ面にアクセスする時間を削除でき、また、Ａ面のみ使用、Ｂ面のみ使用、両面使用というように使用するディスクの面を選択することができ、操作性を良くすることができる。
【００７３】
また、１組の光ピックアップ３８と光ピックアップ駆動手段３９によってＡ面とＢ面へのアクセスを行うため、２組の光ピックアップ３８と光ピックアップ駆動手段３９を使用する構成に比べて安価に構成できる。
【００７４】
なお、本発明は上記した実施の形態に限定されるものではない。
【産業上の利用可能性】
【００７５】
本発明にかかるディスク装置は、装着されたカートリッジが片面用カートリッジであるか両面用カートリッジであるかを判別するためのカートリッジ判別手段を備え、片面用カートリッジが判別された場合は、片面のみアクセスし、両面用カートリッジが検出された場合は、両面のアクセスを行う構成をとることによって、片面用カートリッジを装着した場合に、無駄な動作時間を削減し、操作性を向上させることが必要な用途にも適用できる。
【００７６】
本発明にかかるディスク装置は、Ａ面のみにアクセスするＡ面モードとＢ面のみにアクセスするＢ面モードと両面にアクセスする両面モードを設け、Ａ面モードを通常使用するモードに設定し、Ｂ面モード及び両面モードに切換える場合にはモード切換スイッチで切換える構成をとることによって、片面用ディスクを使用する場合や両面用ディスクをＡ面だけ使用する場合に、使用しないもう一方の面への無駄なアクセス時間を削減でき、また、Ａ面のみ使用、Ｂ面のみ使用、両面使用というように使用する面を選択でき操作性を向上させることが必要な用途にも適用できる。
【図面の簡単な説明】
【００７７】
【図１】本発明の実施の形態１におけるディスク装置のカートリッジ装着時のフローチャート
【図２】本発明の実施の形態１におけるディスク装置のカートリッジ装着時のフローチャート
【図３】本発明の実施の形態１におけるディスク装置の構成を示すブロック図
【図４】本発明の実施の形態２におけるディスク装置の構成を示すブロック図
【図５】両面用カートリッジの外観を示す斜視図
【図６】片面用カートリッジの外観を示す斜視図
【図７】本発明の実施の形態１におけるディスク装置のディスク装着時のフローチャート
【図８】本発明の実施の形態１におけるディスク装置の構成を示すブロック図
【図９】本発明の実施の形態２におけるディスク装置の構成を示すブロック図
【符号の説明】
【００７８】
１    カートリッジ装着ステップ
２    カートリッジ判別ステップ
３    Ａ面情報読込みステップ
４    Ｂ面情報読込みステップ
５    待機ステップ
６    Ａ面情報読込みステップ
７    待機ステップ
８    カートリッジ
９    カートリッジ判別手段
１０    ターンテーブル
１１    Ａ面用光ピックアップ
１２    Ａ面用光ピックアップ駆動手段
１３    Ｂ面用光ピックアップ
１４    Ｂ面用光ピックアップ駆動手段
１５    アクセス面切換指令部
１６    光ピックアップ
１７    光ピックアップ駆動手段
１８    光ピックアップＡＢ面移動手段
【図１】
2005149690.tif 000003
【図２】
2005149690.tif 000004
【図３】
2005149690.tif 000005
【図４】
2005149690.tif 000006
【図５】
2005149690.tif 000007
【図６】
2005149690.tif 000008
【図７】
2005149690.tif 000009
【図８】
2005149690.tif 000010
【図９】
2005149690.tif 000011